(57)【要約】【課題】本発明は、各圧縮バネの圧縮を均一化して面圧解除プレートと面圧解除バーの相対摺動を円滑化することを可能とする。【解決手段】本発明によるスライドバルブの面圧負荷装置は、面圧解除プレート(13)の各突起体(14)の配置中心(A)と各圧縮バネ(11)の配置中心(B)を一致させることにより、面圧負荷及び面圧解除時の各圧縮バネ(11)の圧縮を均一化させ、面圧解除プレート(13)と面圧解除バー(15)の相対摺動を円滑化するようにした構成である。【選択図】図２
2005131674.tif 000002
【特許請求の範囲】
【請求項１】
溶融金属容器(2)の底部下面に固設されたハウジング(1)と、前記ハウジング(1)に開閉自在に支持されたクランプ(3)と、前記クランプ(3)の内部に移動可能に収納されプレート駆動手段(4)に連接されたスライドケース(5)とを備え、前記ハウジング(1)、クランプ(3)及びスライドケース(5)によって形成される空間(6)に少なくとも２枚の第１、第２プレート煉瓦(7,8)を組み込み、前記各プレート煉瓦(7,8)の何れかを前記プレート駆動手段(4)により摺動させ、前記各プレート煉瓦(7,8)に形成されたノズル孔(7a,8a)の開度を変化させて溶融金属の流出を制御するようにしたスライドバルブにおいて、
前記ハウジング(1)の両側部に前記スライドケース(5)の摺動方向と平行な方向に配設され複数の圧縮バネ(11)を内蔵した一対のバネホルダ(12)と、前記バネホルダ(12)の下方位置に前記バネホルダ(12)と一体に上下動自在に設けられた突起体(14)を有する面圧解除プレート(13)と、前記ハウジング(1)と面圧解除プレート(13)との間に配設され前記面圧解除プレート(13)の突起体(14)に摺接する摺接面がテーパ状のくさび形部(16)を有する面圧解除バー(15)とを有し、前記各突起体(14)の頂上部の配置中心(A)と各圧縮バネ(11)の配置中心(B)は一致され、
前記面圧解除バー(15)を前記プレート駆動手段(4)に連結用ピン(22)により連結して摺動させ、前記面圧解除バー(15)による前記面圧解除プレート(13)の上昇又は押し下げにより、面圧解除又は面圧負荷を行い、前記パネルホルダ(12)に、前記面圧負荷時に前記クランプ(3)に係合させると共に前記面圧解除時に前記クランプから外すための面圧負荷用フック(20)を有していることを特徴とするスライドバルブの面圧負荷装置。
【請求項２】
前記突起体(14)はローラよりなることを特徴とする請求項１記載のスライドバルブの面圧負荷装置。
【請求項３】
前記ハウジング(1)の下面に設けられた上部ローラ(30)を有し、前記上部ローラ(30)は前記面圧解除バー(15)に摺接すると共に前記各突起体(14)に相対する位置に配設されていることを特徴とする請求項１又は２記載のスライドバルブの面圧負荷装置。
【請求項４】
前記プレート駆動手段(4)と前記面圧解除バー(15)とは、着脱自在な連結用ピン(22)によって連結されていることを特徴とする請求項１ないし３の何れかに記載のスライドバルブの面圧負荷装置。
【発明の詳細な説明】
【技術分野】
【０００１】
本発明は、スライドバルブの面圧負荷装置に関し、特に、各圧縮バネの圧縮を均一化して面圧解除プレートと面圧解除バーの相対摺動を円滑化し、部品の軽量化及び耐久性の向上を得るための新規な改良に関する。
【背景技術】
【０００２】
従来、用いられていたこの種のスライドバルブの面圧負荷装置としては、例えば、特許文献１のスライドゲートの面圧負荷装置及び特許文献２のスライドバルブの面圧負荷装置を挙げることができる。
一般的なスライドバルブ装置は溶融金属容器の底部に備え付け２乃至３枚の開口されたプレート煉瓦を備えその内の１枚を摺動して溶融金属の流出を制御する装置である。使用中のプレート煉瓦には溶融金属の深さと密度に比例した圧力が掛かるが、変形させたバネの反発力を利用してプレート煉瓦同士を密着させ溶融金属の圧力に対抗している。従って、必要なバネの力は数トン〜十数トンにもなるのが一般的である。
まず、特許文献１に開示された構成の場合、面圧バーとローラを係合させることでバネを変形させ、プレート煉瓦に圧力をかけている。
また、特許文献２に開示された構成の場合、面圧制御バーに取付けられた大径ローラが面圧解除バーの上面に形成された山形テーパ部に乗り上げ、面圧解除バーを押し下げてバネを変形して面圧を解除している。
【０００３】
前述の特許文献１の構成の場合、面圧バーとローラを係合させることでバネを変形しプレート煉瓦に圧力をかけているが、面圧バーとローラの摩耗、変形によるバネの変形不足が避けられず、バネの変形が不足すればプレート煉瓦に掛かる圧力が溶融金属の圧力に負けて溶融金属が漏れ出す事故につながるおそれがあった。
【０００４】
また、前述の特許文献１の構成の場合、面圧制御バーに取り付けられた大径ローラが面圧解除バーの上面に形成された山形テーパ部に乗り上げ、面圧解除バーを押し下げてバネを変形して面圧を解除するが、大径ローラが乗り上げる側のテーパ部の角度をできるだけ小さくし乗り上げる抵抗を少なくする必要がある。このため面圧解除バーの上面に形成された山形テーパ部は左右非対称の形となり、２カ所ある山形の頂上部分の配置中心と、バネの配置の中心を一致させることが困難である。このため２個の大径ローラにかかる荷重が不均一となり、バネの配置中心に近い山形テーパ部に乗り上げた大径ローラに過大な荷重がかかり、変形やかじりが発生し、円滑な動きの妨げとなるおそれがあった。
【０００５】
【特許文献１】特開平８−１１７９８５号公報
【特許文献２】特開２００３−２００２５６号公報
【発明の開示】
【発明が解決しようとする課題】
【０００６】
解決しようとする問題点は、面圧解除バーの山形テーパ部が左右非対称であり、２ケ所の山形の頂上部分の配置中心と、バネの横方向における配置中心とを一致させることができず、バネ変形の不足等による各プレート煉瓦の円滑な動きができない点である。
【課題を解決するための手段】
【０００７】
本発明は、バネの配置中心と突起体の配置中心を完全に一致させることにより、面圧解除バーが移動しても各突起体との係合点は移動せず、均一な力で圧縮バネを変形させることを最も主要な特徴とする。
【発明の効果】
【０００８】
本発明のスライドバルブの面圧負荷装置は、面圧解除プレートに形成された各突起体の配置中心とバネの配置中心とを完全に一致させていると共に、面圧解除バーが移動しても各突起体との係合点は移動しないため、常に均一な力で圧縮バネを変形させ、常に安定したプレート煉瓦の面圧負荷及び解除を行うことができる。
また、前記突起体がローラで構成されているものは、面圧解除バーの摺動がより円滑に行われる。
また、ハウジングの下面に設けられた上部ローラが前記面圧解除バーに摺接しているため、面圧解除バーの摺動が円滑に行われる。
【発明を実施するための最良の形態】
【０００９】
バネの配置中心と突起体の配置中心を完全に一致させ、均一な力で圧縮バネを変形させて円滑な面圧の負荷及び解除を行うと云う目的を、面圧解除バーに形成されたテーパ状のくさび形部と面圧解除プレートの突起体で実現した。
【実施例】
【００１０】
図１及び図２において符号１で示されるものは取鍋等の溶融金属容器２の底部下面に固設されたハウジングであり、この下部両側には開閉可能にクランプ３が配設されている。  前記各クランプ３の内側には、上下方向に移動可能に収納されプレート駆動手段４に連接されたスライドケース５が設けられている。
【００１１】
前記ハウジング１、クランプ３及びスライドケース５によって形成された空間６には、上下二段状に第１、第２プレート煉瓦７、８が組込まれ、上ノズル９と共に前記第１プレート煉瓦７が前記ハウジング１側に固設され、前記第２プレート煉瓦８が前記プレート駆動手段４によって摺動するように構成されている。
前記上ノズル９に形成された上ノズル孔９ａは、第１、第２プレート煉瓦７、８に形成された第１、第２ノズル孔７ａ、８ａを介して前記スライドケース５の下部に設けられた下ノズル１０の下ノズル孔１０ａに連通している。
【００１２】
前記ハウジング１の両側には、その長手方向に沿って面圧負荷バネとしての複数の圧縮バネ１１を有するバネホルダ１２が設けられ、前記バネホルダ１２の下部には、このバネホルダ１２と一体に上下動可能に設けられた面圧解除プレート１３が設けられている。
前記面圧解除プレート１３の上面には、少なくとも半円面を有する一対の突起体１４が互いに長手方向に離間した状態で形成されている。
【００１３】
前記ハウジング１と前記面圧解除プレート１３との間には、長手形状の面圧解除バー１５が摺動自在に挿入配設されており、この面圧解除バー１５の下面にはテーパ状のくさび形部１６が形成され、このくさび形部１６が前記各突起体１４に摺接し、バネホルダ１２が上下動できるように構成されている。
【００１４】
前記各突起体１４の頂上部の配置中心（Ａ）と前記各圧縮バネ１１の配置中心（Ｂ）（すなわち、前記バネホルダ１２の長手方向の中央に位置する圧縮バネ１１の位置に相当）は互いに一致し、面圧解除バー１５が摺動しても前記くさび形部１６との係合点は各突起体１４であるため、その位置は移動することがなく、この面圧解除バー１５の摺動に伴い、均一な力で各圧縮バネ１１を圧縮することができる。
【００１５】
前記バネホルダ１２の両側には、前記各クランプ３をクランプするための面圧負荷用フック２０が軸支部２１を介して回動自在に設けられており、前記各プレート煉瓦７、８の面圧を負荷する時に前記各クランプ３に面圧負荷用フック２０を係合させ、面圧解除時に面圧負荷用フック２０を各クランプ３から外すことができるように構成されている。    
【００１６】
前述の構成において、着脱自在な連結用ピン２２を外しておき、前記プレート駆動手段４に対して面圧解除バー１５を接続しない状態で、プレート駆動手段４を作動させて第２プレート煉瓦８のみを摺動させると、第１ノズル孔７ａに対して第２ノズル孔８ａがずれるため、各ノズル孔７ａ、８ａの相対位置が変わり、溶鋼の流量が制御される。
また、前記面圧解除バー１５をプレート駆動手段４に連結用ピン２２により連結して摺動させ、面圧解除バー１５による面圧解除プレート１３の上昇又は押し下げにより、面圧解除又は面圧負荷を行うことができる。
【００１７】
次に、図３及び図４は、前述の図１及び図２で開示した形態の他の形態を示すもので、前記面圧解除プレートに設けられた突起体１４は、全周が円形をなすローラで構成され、他の部分は図１及び図２と同一であるため、同一部分には同一符号を付し、その説明は省略する。
【００１８】
次に、図５及び図６は、前述の図１及び図２で開示した形態の他の形態を示すもので、前記ハウジング１の下面１ａに一対の上部ローラ３０が回転自在に設けられ、各上部ローラ３０は前記面圧解除バー１５に摺接すると共に、前記各突起体に相対する位置に配設されている。
尚、他の部分は図１及び図２と同一であるため、同一部分には同一符号を付し、その説明は省略する。
【産業上の利用可能性】
【００１９】
バネの配置中心と突起体の配置中心を一致させることにより、均一な力で圧縮バネを変形させ、面圧縮解除プレートと面圧縮解除バーの相対摺動を円滑化し、部品の軽量化及び耐久性の向上を得ると共に、この種の溶融金属容器からの溶鋼の円滑な供給に大いに役立つことができる。
【図面の簡単な説明】
【００２０】
【図１】本発明によるスライドバルブの面圧負荷装置を示す断面図である。（実施例１）
【図２】図１の側断面図である。
【図３】図１の他の形態を示す断面図である。（実施例２）
【図４】図３の側断面図である。
【図５】図１の他の形態を示す断面図である。（実施例３）
【図６】図６の側断面図である。
【符号の説明】
【００２１】
１    ハウジング
２    溶融金属容器
３    クランプ
４    プレート駆動手段
５    スライドケース
６    空間
７    第１プレート煉瓦
８    第２プレート煉瓦
９    上ノズル
１０    下ノズル
１１    圧縮バネ
１２    バネホルダ
１３    面圧解除プレート
１４    突起体
１５    面圧解除バー
２０    面圧負荷用フック
２２    連結用ピン
【図１】
2005131674.tif 000003
【図２】
2005131674.tif 000004
【図３】
2005131674.tif 000005
【図４】
2005131674.tif 000006
【図５】
2005131674.tif 000007
【図６】
2005131674.tif 000008
【手続補正書】
【提出日】平成16年7月27日(2004.7.27)
【手続補正１】
【補正対象書類名】特許請求の範囲
【補正対象項目名】全文
【補正方法】変更
【補正の内容】
【特許請求の範囲】
【請求項１】
溶融金属容器(2)の底部下面に固設されたハウジング(1)と、前記ハウジング(1)に開閉自在に支持されたクランプ(3)と、前記クランプ(3)の内部に移動可能に収納されプレート駆動手段(4)に連接されたスライドケース(5)とを備え、前記ハウジング(1)、クランプ(3)及びスライドケース(5)によって形成される空間(6)に少なくとも２枚の第１、第２プレート煉瓦(7,8)を組み込み、前記各プレート煉瓦(7,8)の何れかを前記プレート駆動手段(4)により摺動させ、前記各プレート煉瓦(7,8)に形成されたノズル孔(7a,8a)の開度を変化させて溶融金属の流出を制御するようにしたスライドバルブにおいて、
前記ハウジング(1)の両側部に前記スライドケース(5)の摺動方向と平行な方向に配設され複数の圧縮バネ(11)を内蔵した一対のバネホルダ(12)と、前記バネホルダ(12)の下方位置に前記バネホルダ(12)と一体に上下動自在に設けられた突起体(14)を有する面圧解除プレート(13)と、前記ハウジング(1)と面圧解除プレート(13)との間に配設され前記面圧解除プレート(13)の突起体(14)に摺接する摺接面がテーパ状のくさび形部(16)を有する面圧解除バー(15)とを有し、前記各突起体(14)の頂上部の配置中心(A)と各圧縮バネ(11)の配置中心(B)は一致され、
前記面圧解除バー(15)を前記プレート駆動手段(4)に連結用ピン(22)により連結して摺動させ、前記面圧解除バー(15)による前記面圧解除プレート(13)の上昇又は押し下げにより、面圧解除又は面圧負荷を行い、前記バネホルダ(12)に、前記面圧負荷時に前記クランプ(3)に係合させると共に前記面圧解除時に前記クランプ(3)から外すための面圧負荷用フック(20)を有していることを特徴とするスライドバルブの面圧負荷装置。
【請求項２】
前記突起体(14)はローラよりなることを特徴とする請求項１記載のスライドバルブの面圧負荷装置。
【請求項３】
前記ハウジング(1)の下面に設けられた上部ローラ(30)を有し、前記上部ローラ(30)は前記面圧解除バー(15)に摺動すると共に前記各突起体(14)に相対する位置に配設されていることを特徴とする請求項１又は２記載のスライドバルブの面圧負荷装置。
【請求項４】
前記プレート摺動手段(4)と前記面圧解除バー(15)とは、着脱自在な連結用ピン(22)によって連結されていることを特徴とする請求項１ないし３の何れかに記載のスライドバルブの面圧負荷装置。